(57)【要約】【課題】プロジェクタの輝度を高める。【解決手段】プロジェクタ用カラーホイール１は、光入射面１ａと光出射面１ｂとを有する。プロジェクタ用カラーホイール１は、波長変換層１０を備える。波長変換層１０は、リング状に設けられている。波長変換層１０は、蛍光体を含む。波長変換層１０が設けられた領域において、波長変換層１０の光出射面１ｂ側の表面または波長変換層１０よりも光出射面１ｂ側に位置する部分が、正の光学的パワーを有するレンズ面を構成している。【選択図】図２
2014146016.tif 000002
【特許請求の範囲】
【請求項１】
光入射面と光出射面とを有するプロジェクタ用カラーホイールであって、
リング状に設けられており、蛍光体を含む波長変換層を備え、
前記波長変換層が設けられた領域において、前記波長変換層の前記光出射面側の表面または前記波長変換層よりも前記光出射面側に位置する部分が、正の光学的パワーを有するレンズ面を構成している、プロジェクタ用カラーホイール。
【請求項２】
前記光出射面のうち、前記波長変換層が設けられた領域に位置する部分が、正の光学的パワーを有するレンズ面を構成している、請求項１に記載のプロジェクタ用カラーホイール。
【請求項３】
前記波長変換層が前記光入射面と前記光出射面に跨って設けられている、請求項２に記載のプロジェクタ用カラーホイール。
【請求項４】
前記波長変換層を支持するホイール本体をさらに備える、請求項１〜３のいずれか一項に記載のプロジェクタ用カラーホイール。
【請求項５】
請求項１〜４のいずれか一項に記載のプロジェクタ用カラーホイールと、
前記波長変換部材に前記蛍光体の励起波長の光を照射する光源と、
を備える、プロジェクタ用発光デバイス。
【発明の詳細な説明】
【技術分野】
【０００１】
本発明は、プロジェクタ用カラーホイール及びそれを備えるプロジェクタ用発光デバイスに関する。
【背景技術】
【０００２】
近年、プロジェクタを小型化するため、ＬＥＤ（Ｌｉｇｈｔ  Ｅｍｉｔｔｉｎｇ  Ｄｉｏｄｅ）と蛍光体とを用いた発光デバイスを用いることが提案されている。例えば、特許文献１には、紫外光を発光する固体光源と、固体光源からの紫外光を可視光に変換するカラーホイールとを備えるプロジェクタが記載されている。特許文献１に記載のプロジェクタでは、カラーホイールは、透明基板と、リング状に設けられた波長変換層とを有する。波長変換層は、透明基板の上に設けられている。波長変換層には、赤色領域、青色領域及び緑色領域が設けられている。赤色領域は、固体光源からの紫外光を吸収し、赤色光を出射する領域である。青色領域は、固体光源からの紫外光を吸収し、青色光を出射する領域である。緑色領域は、固体光源からの紫外光を吸収し、緑色光を出射する領域である。これら赤色領域、青色領域及び緑色領域が、周方向に沿って順番に設けられている。
【０００３】
特許文献１に記載のプロジェクタでは、カラーホイールが回転することにより、固体光源からの紫外光が入射する領域が順に変化する。これにより、赤色光、青色光、緑色光が順番に出射される。
【先行技術文献】
【特許文献】
【０００４】
【特許文献１】特開２００４−３４１１０５号公報
【発明の概要】
【発明が解決しようとする課題】
【０００５】
プロジェクタの輝度をさらに高めたいという要望がある。
【０００６】
本発明は、プロジェクタの輝度を高めることを主な目的とする。
【課題を解決するための手段】
【０００７】
本発明に係るプロジェクタ用カラーホイールは、光入射面と光出射面とを有するプロジェクタ用カラーホイールである。本発明に係るプロジェクタ用カラーホイールは、波長変換層を備える。波長変換層は、リング状に設けられている。波長変換層は、蛍光体を含む。波長変換層が設けられた領域において、波長変換層の光出射面側の表面または波長変換層よりも光出射面側に位置する部分が、正の光学的パワーを有するレンズ面を構成している。光出射面のうち、波長変換層が設けられた領域に位置する部分が、正の光学的パワーを有するレンズ面を構成していてもよい。
【０００８】
波長変換層が光入射面と光出射面に跨って設けられていてもよい。
【０００９】
本発明に係るプロジェクタ用カラーホイールは、波長変換層を支持するホイール本体をさらに備えていてもよい。
【００１０】
本発明に係るプロジェクタ用発光デバイスは、上記プロジェクタ用カラーホイールと、光源とを備える。光源は、波長変換部材に蛍光体の励起波長の光を照射する。
【発明の効果】
【００１１】
本発明によれば、プロジェクタの輝度を高めることができる。
【図面の簡単な説明】
【００１２】
【図１】本発明の一実施形態におけるプロジェクタ用カラーホイールの略図的斜視図である。
【図２】図１の線ＩＩ−ＩＩにおける略図的断面図である。
【図３】本発明の一実施形態におけるプロジェクタ用発光デバイスの模式的断面図である。
【図４】第１の変形例におけるプロジェクタ用発光デバイスの模式的断面図である。
【図５】第２の変形例におけるプロジェクタ用発光デバイスの模式的断面図である。
【発明を実施するための形態】
【００１３】
以下、本発明を実施した好ましい形態の一例について説明する。但し、下記の実施形態は、単なる例示である。本発明は、下記の実施形態に何ら限定されない。
【００１４】
また、実施形態等において参照する各図面において、実質的に同一の機能を有する部材は同一の符号で参照することとする。また、実施形態等において参照する図面は、模式的に記載されたものであり、図面に描画された物体の寸法の比率などは、現実の物体の寸法の比率などとは異なる場合がある。図面相互間においても、物体の寸法比率等が異なる場合がある。具体的な物体の寸法比率等は、以下の説明を参酌して判断されるべきである。
【００１５】
図１は、本実施形態におけるプロジェクタ用カラーホイール１の略図的斜視図である。図２は、図１の線ＩＩ−ＩＩにおける略図的断面図である。図１及び図２に示されるように、プロジェクタ用カラーホイール１は、中心軸Ｃを有する円板状に設けられている。プロジェクタ用カラーホイール１の第１の主面が光入射面１ａを構成しており、第２の主面が光出射面１ｂを構成している。
【００１６】
プロジェクタ用カラーホイール１は、波長変換層１０と、反射部材２１，２２とを備える。波長変換層１０は、励起光が入射した際に、蛍光を出射する部材である。波長変換層１０は、リング状に設けられている。波長変換層１０は、光入射面１ａと光出射面１ｂに跨って設けられている。すなわち、波長変換層１０の一方の主面１０ｃが光入射面１ａの一部を構成しており、他方の主面１０ｄが光出射面１ｂの一部を構成している。本実施形態においては、波長変換層１０の一方の主面１０ｄの少なくとも一部が正の光学的パワーを有するレンズ面を構成している。
【００１７】
波長変換層１０は、ガラスマトリクスと、ガラスマトリクス中に分散した無機蛍光体とを含む。具体的には、波長変換層１０は、ガラス粉末と無機蛍光体の粉末とを含む混合粉末の焼結体からなる。波長変換層１０を構成しているガラスマトリクスと無機蛍光体との両方が無機材料である。従って、波長変換層１０は、優れた耐熱性を有する。
【００１８】
無機蛍光体は、励起光が入射した際に、蛍光を出射する。無機蛍光体は、例えば、酸化物蛍光体、窒化物蛍光体、酸窒化物蛍光体、塩化物蛍光体、酸塩化物蛍光体、硫化物蛍光体、酸硫化物蛍光体、ハロゲン化物蛍光体、カルコゲン化物蛍光体、アルミン酸塩蛍光体、ハロリン酸塩化物蛍光体、ガーネット系化合物蛍光体から選ばれた１種以上からなるものとすることができる。
【００１９】
波長３００〜４４０ｎｍの紫外〜近紫外の励起光を照射すると青色の発光を発する無機蛍光体の具体例としては、例えば、Ｓｒ５（ＰＯ４）３Ｃｌ：Ｅｕ２＋、（Ｓｒ，Ｂａ）ＭｇＡｌ１０Ｏ１７：Ｅｕ２＋などが挙げられる。
【００２０】
波長３００〜４４０ｎｍの紫外〜近紫外の励起光を照射すると緑色の蛍光（波長が５００ｎｍ〜５４０ｎｍの蛍光）を発する無機蛍光体の具体例としては、例えば、ＳｒＡｌ２Ｏ４：Ｅｕ２＋、ＳｒＧａ２Ｓ４：Ｅｕ２＋などが挙げられる。
【００２１】
波長４４０〜４８０ｎｍの青色の励起光を照射すると緑色の蛍光（波長が５００ｎｍ〜５４０ｎｍの蛍光）を発する無機蛍光体の具体例としては、例えば、ＳｒＡｌ２Ｏ４：Ｅｕ２＋、ＳｒＧａ２Ｓ４：Ｅｕ２＋などが挙げられる。
【００２２】
波長３００〜４４０ｎｍの紫外〜近紫外の励起光を照射すると黄色の蛍光（波長が５４０ｎｍ〜５９５ｎｍの蛍光）を発する無機蛍光体の具体例としては、例えば、ＺｎＳ：Ｅｕ２＋などが挙げられる。
【００２３】
波長４４０〜４８０ｎｍの青色の励起光を照射すると黄色の蛍光（波長が５４０ｎｍ〜５９５ｎｍの蛍光）を発する無機蛍光体の具体例としては、例えば、Ｙ３（Ａｌ，Ｇｄ）５Ｏ１２：Ｃｅ２＋などが挙げられる。
【００２４】
波長３００〜４４０ｎｍの紫外〜近紫外の励起光を照射すると赤色の蛍光（波長が６００ｎｍ〜７００ｎｍの蛍光）を発する無機蛍光体の具体例としては、例えば、Ｇｄ３Ｇａ４Ｏ１２：Ｃｒ３＋、ＣａＧａ２Ｓ４：Ｍｎ２＋などが挙げられる。
【００２５】
波長４４０〜４８０ｎｍの青色の励起光を照射すると赤色の蛍光（波長が６００ｎｍ〜７００ｎｍの蛍光）を発する無機蛍光体の具体例としては、例えば、Ｍｇ２ＴｉＯ４：Ｍｎ４＋、Ｋ２ＳｉＦ６：Ｍｎ４＋などが挙げられる。
【００２６】
無機蛍光体の平均粒子径（Ｄ５０）は、特に限定されない。無機蛍光体の平均粒子径（Ｄ５０）は、例えば、１μｍ〜５０μｍ程度であることが好ましく、５μｍ〜２５μｍ程度であることがより好ましい。無機蛍光体の平均粒子径（Ｄ５０）が大きすぎると、発光色が不均一になる場合がある。一方、無機蛍光体の平均粒子径（Ｄ５０）が小さすぎると、発光強度が低下する場合がある。
【００２７】
波長変換層１０における無機蛍光体の含有量は、特に限定されない。波長変換層１０における無機蛍光体の含有量は、得ようとする蛍光の強度等に応じて適宜設定することができる。波長変換層１０における無機蛍光体の含有量は、例えば、１０体積％〜８０体積％であることが好ましく、２０体積％〜７５体積％であることがより好ましく、３０体積％〜７０体積％であることがさらに好ましい。波長変換層１０における無機蛍光体の含有量が少なすぎると、得られる蛍光の光強度が低くなってしまう場合がある。波長変換層１０における無機蛍光体の含有量が多すぎると、波長変換層１０の機械的強度が低くなる場合がある。また、波長変換層１０において励起光や蛍光が散乱しやすくなりすぎるため、蛍光の出射効率が低くなる場合がある。
【００２８】
波長変換層１０のガラスマトリクスは、無機蛍光体の分散媒として好適なものである限りにおいて特に限定されない。波長変換層１０のガラスマトリクスは、例えば、硼珪酸塩系ガラス、ＳｎＯ−Ｐ２Ｏ５系ガラスなどのリン酸塩系ガラスなどにより構成されていてもよい。
【００２９】
波長変換層１０のガラスマトリクスの軟化点は、２５０℃〜１０００℃であることが好ましく、３００℃〜８５０℃であることがより好ましい。
【００３０】
波長変換層１０のガラスマトリクスの屈折率（ｎｄ）は、１．４５〜２．００であることが好ましく、１．５〜１．８５であることがより好ましい。
【００３１】
波長変換層１０の厚みは、励起光が確実に無機蛍光体に吸収されるような厚みである範囲において、薄い方が好ましい。波長変換層１０が厚すぎると、波長変換層１０における光の散乱や吸収が大きくなりすぎ、蛍光の出射効率が低くなってしまう場合があるためである。具体的には、波長変換層１０の厚みは、１ｍｍ以下であることが好ましく、０．５ｍｍ以下であることがより好ましく、０．３ｍｍ以下であることがさらに好ましい。波長変換層１０の厚みの下限値は、通常、０．０３ｍｍ程度である。
【００３２】
図１に示されるように、波長変換層１０は、複数の波長変換部１０Ｒ１，１０Ｒ２、１０Ｇ１，１０Ｇ２、１０Ｂ１，１０Ｂ２を有する。波長変換部１０Ｒ１，１０Ｒ２と、波長変換部１０Ｇ１，１０Ｇ２と、波長変換部１０Ｂ１，１０Ｂ２とでは、蛍光体の種類が互いに異なる。具体的には、波長変換部１０Ｒ１，１０Ｒ２に含まれる蛍光体と、波長変換部１０Ｇ１，１０Ｇ２に含まれる蛍光体と、波長変換部１０Ｂ１，１０Ｂ２に含まれる蛍光体とでは、励起光の波長は共通しているものの、蛍光の波長が互いに異なる。より具体的には、波長変換部１０Ｒ１，１０Ｒ２に含まれる蛍光体は、赤色の蛍光を出射する。波長変換部１０Ｇ１，１０Ｇ２に含まれる蛍光体は、緑色の蛍光を出射する。波長変換部１０Ｂ１，１０Ｂ２に含まれる蛍光体は、青色の蛍光を出射する。これら赤色の蛍光を出射する波長変換部、緑色の蛍光を出射する波長変換部及び青色の蛍光を出射する波長変換部が、この順番で周方向に沿って配列されている。具体的には、波長変換部１０Ｒ１、波長変換部１０Ｇ１、波長変換部１０Ｂ１、波長変換部１０Ｒ２、波長変換部１０Ｇ２及び波長変換部１０Ｂ２がこの順番で配列されている。
【００３３】
もっとも、本発明において波長変換部の種類、波長変換部の種類の数、波長変換部の配列順番等は特に限定されない。
【００３４】
図２に示されるように、波長変換層１０の内周面１０ａ及び外周面１０ｂのうちの少なくとも一方の上には、反射部材が設けられている。具体的には、波長変換層１０の内周面１０ａの上に反射部材２１が設けられていると共に、外周面１０ｂの上に反射部材２２が設けられている。すなわち、プロジェクタ用カラーホイール１では、波長変換層１０の内周面１０ａと外周面１０ｂの両方の上に反射部材２１，２２が設けられている。もっとも、本発明において、反射部材の内周面と外周面との一方のみの上に反射部材が設けられていてもよい。
【００３５】
反射部材２１は、筒状に設けられている。反射部材２１の外周面が波長変換層１０の内周面１０ａと接している。反射部材２１の外周面と波長変換層１０の内周面１０ａとは融着していることが好ましい。
【００３６】
反射部材２２は、筒状に設けられている。反射部材２２の内周面が波長変換層１０の外周面１０ｂと接している。反射部材２２の内周面と波長変換層１０の外周面１０ｂとは融着していることが好ましい。
【００３７】
反射部材２１，２２は、波長変換層１０の励起光と蛍光とのうちの少なくとも一方を反射させる。反射部材２１，２２は、波長変換層１０の励起光と蛍光との両方を反射させるものであることが好ましい。
【００３８】
反射部材２１，２２は、波長変換層１０の励起光や蛍光を好適に反射できるものである限りにおいて特に限定されない。反射部材２１，２２は、それぞれ、例えば金属により構成されていてもよいが、ガラスマトリクスと、ガラスマトリクス中に分散しており、ガラスマトリクスとは異なる屈折率を有する結晶とを含むことが好ましい。具体的には、本実施形態では、反射部材２１，２２は、それぞれ、ガラス粉末と結晶の粉末との混合粉末の焼結体からなる。反射部材２１，２２を構成しているガラスマトリクスと結晶との両方が無機材料である。従って、反射部材２１，２２は、優れた耐熱性を有する。
【００３９】
なお、反射部材２１，２２は、結晶を含む結晶化ガラスにより構成されていてもよい。結晶は、単結晶であってもよいし、多結晶であってもよい。
【００４０】
反射部材２１，２２のガラスマトリクスは、特に限定されないが、Ｓｉ、Ｂ、Ａｌ、Ｎａ、Ｋ、Ｌｉ、Ｂａ、Ｃａ、Ｍｇ、Ｚｎ、Ｚｒ、Ｔｉ、Ｎｂ、Ｌａ，Ｇｄ，Ｔａ及びＷからなる群から選ばれた少なくとも一種を含むものであることが好ましい。反射部材２１，２２のガラスマトリクスは、例えば、硼珪酸塩系ガラス、ＳｎＯ−Ｐ２Ｏ５系ガラスなどのリン酸塩系ガラスなどにより構成されていてもよい。
【００４１】
反射部材２１，２２のガラスマトリクスの軟化点は、２５０℃〜１０００℃であることが好ましく、３００℃〜８００℃であることがより好ましい。
【００４２】
反射部材２１，２２のガラスマトリクスの屈折率（ｎｄ）は、１．４５〜２．０であることが好ましく、１．４７〜１．８５であることがより好ましい。
【００４３】
結晶は、反射部材２１，２２のガラスマトリクスとは異なる屈折率を有する。即ち、結晶の屈折率は、反射部材２１，２２のガラスマトリクスの屈折率よりも高いか、反射部材２１，２２のガラスマトリクスの屈折率よりも低い。このため、反射部材２１，２２は、高い光反射率を有する。従って、反射部材２１，２２は、反射材として機能する。
【００４４】
結晶は、例えば、Ｔｉ、Ａｌ、Ｎｂ、Ｔａ、Ｌａ、Ｚｒ、Ｃｅ、Ｇａ、Ｍｇ、Ｓｉ及びＺｎからなる群から選ばれた少なくとも一種を含んでいることが好ましく、Ｔｉ、Ａｌ、Ｎｂ、Ｔａ、Ｌａ、Ｚｒ、Ｃｅ、Ｇａ、Ｍｇ、Ｓｉ及びＺｎからなる群から選ばれた少なくとも一種の酸化物または窒化物を含むことがより好ましい。
【００４５】
例えば、結晶の屈折率を前記反射部材２１，２２のガラスマトリクスの屈折率よりも高くする場合は、結晶は、例えば、Ｔｉ、Ｎｂ、Ｔａ、Ｌａ、Ｚｒ、Ｃｅ、Ｍｇ及びＺｎからなる群から選ばれた少なくとも一種を含んでいることが好ましく、Ｔｉ、Ｎｂ、Ｔａ、Ｌａ、Ｚｒ、Ｃｅ、Ｍｇ及びＺｎからなる群から選ばれた少なくとも一種の酸化物または窒化物を含むことがより好ましい。具体的には、結晶は、例えば、酸化ニオブ、酸化チタン、酸化タンタル、酸化ランタン、酸化ジルコニウム、酸化セリウム、酸化マグネシウムまたは酸化亜鉛からなるものであることが好ましい。
【００４６】
一方、例えば、結晶の屈折率を前記反射部材２１，２２のガラスマトリクスの屈折率よりも低くする場合は、結晶は、例えば、Ａｌ，Ｇａ及びＳｉからなる群から選ばれた少なくとも一種を含んでいることが好ましく、Ａｌ，Ｇａ及びＳｉからなる群から選ばれた少なくとも一種の酸化物または窒化物を含むことがより好ましい。具体的には、結晶は、例えば、酸化アルミニウム、酸化ガリウムまたは酸化ケイ素からなるものであることが好ましい。
【００４７】
なお、反射部材２１，２２は、１種類の結晶を含んでいてもよいし、複数種類の結晶を含んでいてもよい。その場合、反射部材２１，２２は、反射部材２１，２２のガラスマトリクスよりも高い屈折率を有する少なくとも一種の結晶と、反射部材２１，２２のガラスマトリクスよりも低い屈折率を有する少なくとも一種の結晶とを含んでいてもよい。
【００４８】
結晶の平均粒子径（Ｄ５０）は、１μｍ〜７０μｍ程度であることが好ましく、２μｍ〜５０μｍ程度であることがより好ましい。結晶の平均粒子径が小さすぎると、結晶が凝集する場合がある。一方、結晶の平均粒子径が大きすぎると、反射部材２１，２２の機械的強度が弱くなる場合がある。
【００４９】
反射部材２１，２２における結晶の含有率は、３体積％〜８０体積％であることが好ましく、５体積％〜７０体積％であることがより好ましい。結晶の含有率が少なすぎると、十分な光反射率が得られない場合がある。一方、結晶の含有率が多すぎると、反射部材２１，２２の機械的強度に劣る場合がある。
【００５０】
図３は、本実施形態におけるプロジェクタ用発光デバイス２ａの模式図である。図３に示されるように、プロジェクタ用発光デバイス２ａは、上述のプロジェクタ用カラーホイール１を備えている。プロジェクタ用カラーホイール１は、ホイールモータ４０に取り付けられている。ホイールモータ４０は、プロジェクタ用カラーホイール１を中心軸Ｃを中心として回転させる。プロジェクタ用発光デバイス２ａでは、ホイールモータ４０によってプロジェクタ用カラーホイール１が回転している状態において、光源３０から、プロジェクタ用発光デバイス２ａの波長変換層１０の一方の主面１０ｃに対して励起光が照射される。励起光は、波長変換部１０Ｒ１、波長変換部１０Ｇ１、波長変換部１０Ｂ１、波長変換部１０Ｒ２、波長変換部１０Ｇ２及び波長変換部１０Ｂ２に、この順番で入射する。従って、プロジェクタ用発光デバイス２ａの波長変換層１０の他方の主面１０ｄからは赤色光、緑色光、青色光が順番に出射される。
【００５１】
なお、光源３０は、例えばレーザー光源等により構成することができる。
【００５２】
プロジェクタ用カラーホイール１では、光出射面１ｂのうち、波長変換層１０が設けられた領域に位置する部分、すなわち、波長変換層１０の他方の主面１０ｄの少なくとも一部が正の光学的パワーを有するレンズ面を構成している。このため、波長変換層１０から出射した蛍光は、発散しにくく、好適に集光される。従って、プロジェクタ用カラーホイール１を備えるプロジェクタ用発光デバイス２ａを用いることによって、プロジェクタの高輝度化を図ることができる。
【００５３】
なお、他方の主面１０ｄは、蛍光を屈折させる屈折面であってもよいし、蛍光を回折させる回折面であってもよい。
【００５４】
上記実施形態では、波長変換層１０が光入射面１ａと光出射面１ｂに跨って設けられている例について説明した。但し、本発明は、この構成に限定されない。例えば、図４に示されるプロジェクタ用発光デバイス２ｂでは、プロジェクタ用カラーホイール１は、波長変換層１０を支持する円板状のホイール本体５０が設けられている。波長変換層１０は、ホイール本体５０の光入射面１ａ上に設けられているが、ホイール本体５０の光出射面１ｂ上に設けられていてもよい。プロジェクタ用発光デバイス２ｂにおいても、ホイール本体５０により構成された光出射面１ｂのうち、波長変換層１０が設けられた領域に位置する部分が、正の光学的パワーを有するレンズ面に構成されている。従って、上記実施形態と同様に、波長変換層１０から出射した蛍光を、好適に集光することができる。従って、プロジェクタ用発光デバイス２ｂを用いることによっても、プロジェクタの高輝度化を図ることができる。
【００５５】
ホイール本体５０は、波長変換層１０に含まれる蛍光体からの蛍光を透過させることが好ましい。ホイール本体５０は、蛍光体の励起光及び蛍光の両方を透過させるものであってもよい。ホイール本体５０は、例えば、ガラスにより構成することができる。
【００５６】
図５に示されるプロジェクタ用発光デバイス２ｃのように、波長変換層１０が設けられた領域において、ホイール本体５０の内部に、他の部分とは屈折率の異なるレンズ部５０ａが設けられていてもよい。そして、この波長変換層１０よりも光出射面１ｂ側に位置するレンズ部５０ａの表面が、正の光学的パワーを有するレンズ面を構成していてもよい。このような場合であっても同様に、プロジェクタの高輝度化を図ることができる。すなわち、波長変換層１０が設けられた領域において、波長変換層１０の光出射面１ｂ側の表面、または、波長変換層１０よりも光出射面１ｂ側に位置する部分が、正の光学的パワーを有するレンズ面を構成していれば、プロジェクタの高輝度化を図ることができる。レンズ部５０ａは、例えば、ガラスからなるホイール本体５０に対し、フェムト秒レーザーや紫外線レーザー等を照射し、結晶を析出させることにより形成することができる。
【符号の説明】
【００５７】
１…プロジェクタ用カラーホイール
１ａ…光入射面
１ｂ…光出射面
２ａ、２ｂ、２ｃ…プロジェクタ用発光デバイス
１０…波長変換層
１０Ｂ１，１０Ｂ２…波長変換部
１０Ｇ１，１０Ｇ２…波長変換部
１０Ｒ１，１０Ｒ２…波長変換部
１０ａ…内周面
１０ｂ…外周面
１０ｃ…一方の主面
１０ｄ…他方の主面
２１，２２…反射部材
３０…光源
４０…ホイールモータ
５０…ホイール本体
５０ａ…レンズ部
【図１】
2014146016.tif 000003
【図２】
2014146016.tif 000004
【図３】
2014146016.tif 000005
【図４】
2014146016.tif 000006
【図５】
2014146016.tif 000007